(57)【特許請求の範囲】
【請求項１】
循環ライン、前記循環ラインに取付する放熱部材、流体を加熱して膨張させるボイラー、流体を蓄えて、前記ボイラーに供給する貯蔵タンク、前記ボイラーを制御するコントローラおよび、前記ボイラーとコントローラを収容するハウジングを含む流体循環式の暖房装置において、
前記ハウジングに着脱可能に取付されて、前記ハウジングに装着すると、前記ボイラーと前記貯蔵タンクとの間に配置された前記循環ラインと連通され、前記循環ラインの流体の流れを一方向に制限する逆流防止手段と、
前記ハウジングに着脱可能なように結合される固定部と、
前記固定部と結合され、前記貯蔵タンク側の循環ラインと連結される入口と前記ボイラー側の循環ラインと連結される出口を備えて、前記入口と出口の間に前記逆流防止手段を収容する収容用空間が形成された逆流防止手段の取付部を備えたキャップと、をさらに含み、
前記逆流防止手段は、前記キャップの逆流防止手段の取付部に取付されることを特徴とする流体循環式の暖房装置。
【請求項２】
前記固定部は、前記ハウジングにネジ結合されることを特徴とする請求項１に記載の流体循環式の暖房装置。
【請求項３】
前記固定部は、前記ハウジングにはめ込んで結合されることを特徴とする請求項１に記載の流体循環式の暖房装置。
【請求項４】
循環ライン、前記循環ラインに取付する放熱部材、流体を加熱して膨張させるボイラー、流体を蓄えて、前記ボイラーに供給する貯蔵タンク、前記ボイラーを制御するコントローラおよび、前記ボイラーとコントローラを収容するハウジングを含む流体循環式の暖房装置において、
前記ハウジングに着脱可能に取付されて、前記ハウジングに装着すると、前記ボイラーと前記貯蔵タンクとの間に配置された前記循環ラインと連通され、前記循環ラインの流体の流れを一方向に制限する逆流防止手段をさらに含み、
前記の貯蔵タンクは、前記ハウジングに着脱可能に取付されて、流体が流出する流出孔を備えて、
前記ハウジングには、前記流出孔と連通した入口と前記ボイラー側の循環ラインと連結される出口を備えて、前記の入口と出口の間に前記逆流防止手段を収容する収容空間が形成された逆流防止手段の取付部が形成され、
前記逆流防止手段は、前記入口を通って前記逆流防止手段の取付部に着脱可能に取付されることを特徴とする流体循環式の暖房装置。
【請求項５】
循環ライン、前記循環ラインに取付する放熱部材、流体を加熱して膨張させるボイラー、流体を蓄えて、前記ボイラーに供給する貯蔵タンク、前記ボイラーを制御するコントローラおよび、前記ボイラーとコントローラを収容するハウジングを含む流体循環式の暖房装置において、
前記ハウジングに着脱可能に取付されて、前記ハウジングに装着すると、前記ボイラーと前記貯蔵タンクとの間に配置された前記循環ラインと連通され、前記循環ラインの流体の流れを一方向に制限する逆流防止手段をさらに含み、
前記ハウジングは、貯蔵タンク取付部を備えており、
前記の貯蔵タンクは、前記ハウジングの貯蔵タンク取付部に着脱可能に取付されて、流体が収容される内部空間を形成する外壁と、前記外壁に形成された開口の外周面に沿って下方に突出した突出部によって囲まれた取付スペースに取付され、流体が流出する流出孔と流体が流入する流入孔が形成された逆流防止手段の取付部材を含み、
前記ハウジングの貯蔵タンク取付部には、前記ボイラー側の循環ラインと連結され、前記流出孔と連通される流入口と、前記放熱部材側の循環ラインと連結され、前記流入孔と連通した流出口が形成されて、前記逆流防止手段は、前記逆流防止手段の取付部材の流出孔の内部に取付されることを特徴とする流体循環式の暖房装置。
【請求項６】
前記の貯蔵タンク取付部は凹溝部と前記凹溝部の内部に形成され、前記流出孔に対応する形の突起部を含み、前記流入口は前記突起部に形成され、前記流出口は前記凹溝部の底面に形成されたことを特徴とする請求項５に記載の流体循環式の暖房装置。
【請求項７】
前記流入孔は、前記流出孔の周りに複数形成されることを特徴とする請求項５に記載の流体循環式の暖房装置。
【請求項８】
前記凹溝部の底面には、前記流出口を通って供給された流体が循環する溝が形成され、前記流入孔は、前記溝と連結されることを特徴とする請求項６に記載の流体循環式の暖房装置。
【請求項９】
前記逆流防止手段の取付部材は、弾性高分子物質から造られたことを特徴とする請求項５に記載の流体循環式の暖房装置。
【請求項１０】
前記ボイラーは、前記循環ラインと結合する入口と出口を備えるボイラーのドラムを含み、前記出口は、前記ボイラーのドラムの最下段に位置することを特徴とする請求項５に記載の流体循環式の暖房装置。
【請求項１１】
前記ボイラーのドラムは、前記出口が前記入口に比べて低くなるように傾斜した状態で前記ハウジングに取付されることを特徴とする請求項１０に記載の流体循環式の暖房装置。
【請求項１２】
循環ライン、前記循環ラインに取付する放熱部材、流体を加熱して膨張させるボイラー、流体を蓄えて、前記ボイラーに供給する貯蔵タンク、前記ボイラーを制御するコントローラおよび、前記ボイラーとコントローラを収容するハウジングを含む流体循環式の暖房装置において、
前記ハウジングに着脱可能に取付されて、前記ハウジングに装着すると、前記ボイラーと前記貯蔵タンクとの間に配置された前記循環ラインと連通され、前記循環ラインの流体の流れを一方向に制限する逆流防止手段をさらに含み、
前記ボイラーは、
流体の出入りが可能な一つの管を備えるボイラーのドラムを含み、この管は、前記ボイラーの上流側の循環配管および下流側の循環配管と連結され、前記逆流防止手段によって上流側の循環配管による流体の放出が制限されることを特徴とする流体循環式の暖房装置。
【請求項１３】
循環ライン、前記循環ラインに取付する放熱部材、流体を加熱して膨張させるボイラー、流体を蓄えて、前記ボイラーに供給する貯蔵タンク、前記ボイラーを制御するコントローラおよび、前記ボイラーとコントローラを収容するハウジングを含む流体循環式の暖房装置において、
前記ハウジングに着脱可能に取付されて、前記ハウジングに装着すると、前記ボイラーと前記貯蔵タンクとの間に配置された前記循環ラインと連通され、前記循環ラインの流体の流れを一方向に制限する逆流防止手段をさらに含み、
前記貯蔵タンクは、流体が流出される流出孔を備えて、前記逆流防止手段は、前記流出孔の内部に着脱可能に取付され、
前記貯蔵タンクは、流体が収容される内部空間を形成する外壁と、外壁に形成された開口および前記開口に着脱可能なように結合された蓋と、
前記蓋で延長され、その後端に前記逆流防止手段を収容できる逆流防止手段の取付部が形成されて、一応は、前記逆流防止手段の取付部と連通されて他端は前記内部空間と連通して、前記内部空間の流体を前記逆流防止手段の取付部へ伝達する流路が形成されたロードをさらに含むことを特徴とする流体循環式の暖房装置。
【請求項１４】
多孔性材料で構成され、前記ボイラーと前記貯蔵タンクとの間の前記循環ラインの内部に取付されて、前記の貯蔵タンクから前記ボイラーに供給される流体の流速を制限する流速調節手段をさらに含むことを特徴とする請求項５に記載の流体循環式の暖房装置。
【発明の詳細な説明】
【技術分野】
【０００１】
本発明は、流体の加熱および冷却を通って流体を循環させる流体循環式の暖房装置に関するもので、さらに詳しくは逆止弁(ｃｈｅｃｋ  ｖａｌｖｅ)のような逆流防止手段の着脱が容易な流体循環式の暖房装置に関するものである。
【背景技術】
【０００２】
居住空間などの暖房をする補助暖房手段として、電気敷布団や電気カーペットなどが主に使われている。しかし、これらの電気敷布団や電気カーペットなどの電気機器の場合、電流が流れる電熱線では電界と共に電磁波が生じる。このような電磁波に継続に露出されるのは人体に有害だ。
【０００３】
このような従来の電気敷布団や電気カーペットなどによる電磁波の直・間接的な被害を減らすために加熱した高温の流体を配管を通って循環させ、その配管を電気敷布団や電気カーペットなどの放熱部材で包む流体循環式の暖房装置が考案された。
【０００４】
例えば、登録特許公報第１０３８５７６号、第０３１２６４３号、第１０３３６６８号などには管路型ヒーターなどによって加熱された液体を循環ポンプを利用して循環させる方式の流体循環式の加熱装置と液体の気化の圧力によって液体を循環させる方式の流体循環方式の暖房装置が開示されている。
【先行技術文献】
【特許文献】
【０００５】
韓国登録特許公報第１０３８５７６号
【０００６】
韓国登録特許公報第０３１２６４３号
【０００７】
韓国登録特許公報第１０３３６６８号
【発明の概要】
【発明が解決しようとする課題】
【０００８】
上述した従来の流体循環式の暖房装置は次のような問題がある。従来の流体循環式の暖房装置は流体が一方向に循環できるように、流体が循環する循環ラインに１つ以上の逆流防止手段を取付した。しかし、流体で主に使われる水が長時間の加熱により生じた異物が逆流防止手段の動作を妨害したり、または暖房装置の長時間の使用による逆流防止手段が劣化される場合、正常的な流体循環が行われない問題があった。逆流防止手段を交代するためには暖房装置を分解しなければならないため、逆流防止手段の交代が非常に不便で修理費用も多く発生したり、逆流防止手段の故障が暖房装置の廃棄に繋がり、資源の浪費が激しいとの問題があった。
【０００９】
本発明は、前述した問題点を改善するためのものであり、逆流防止手段の交代が容易な構造の新しい流体循環式の暖房装置を提供することを目的とする。
【課題を解決するための手段】
【００１０】
前述した目的を達成するために本発明に係る流体循環式の暖房装置は循環ライン、前記の循環ラインに取付される放熱部材、流体を加熱して膨張させるボイラー、流体を 蓄えて前記ボイラーに供給する貯蔵タンク、前記ボイラーを制御するコントローラおよび前記ボイラーとコントローラを収容するハウジングを含んでおり、前記ハウジングに着脱可能に取付され、前記ハウジングに装着されると、前記ボイラーと前記貯蔵タンクとの間に配置した前記循環ラインと連通して前記循環ラインの流体の流れを一方向に制限する逆流防止手段をさらに含む。
【００１１】
前述した流体循環式の暖房装置は、前記ハウジングに着脱可能なように結合する固定部と、前記固定部と結合され、前記貯蔵タンク側の循環ラインと連結される入口と前記ボイラー側の循環ラインと連結される出口を備えて、前記入口と出口の間に前記逆流防止手段を収容する収容空間が形成された逆流防止手段の取付部を備えたキャップをさらに含み、前記逆流防止手段は前記キャップの逆流防止手段の取付部に取り付けることができる。ここで前記固定部は前記ハウジングにネジ結合されたりはめあい結合することができる。
【００１２】
また、前述した流体循環式の暖房装置で、前記の貯蔵タンクは前記ハウジングに着脱可能に取付されており、流体が流出する流出孔を備えて、前記ハウジングには前記流出孔と連通した入口と前記ボイラー側の循環ラインと連結する出口を備えて前記入口と出口の間に前記逆流防止手段を収容する収容空間が形成された逆流防止手段の取付部が形成され、前記逆流防止手段は、前記入口を通って前記逆流防止手段の取付部に着脱可能なように取付できる。
【００１３】
また、前記の貯蔵タンクは、前記ハウジングに着脱が可能なように取付され、流体が流出される流出孔を備えて、前記逆流防止手段は前記流出孔の内部に取付されることもある。ここで、前記の貯蔵タンクは、流体が収容される内部空間を形成する外壁と、下側の外壁に形成された開口および前記開口の外周面に沿って下方に突出した突出部と前記突出部によって囲まれた取付スペースに取付される逆流防止手段の取付部材を含み、前記逆流防止手段の取付部材には、流体が流出する流出孔が形成され、前記逆流防止手段は前記流出孔の内部に取付できる。
【００１４】
そして、前記ハウジングは貯蔵タンク取付部を備えて、前記の貯蔵タンク取付部は凹溝部と前記凹溝部の内部に形成され、前記こ流出孔に対応する形の突起部を含み、前記突起部には前記ボイラの上流側の循環ラインと連結して前記流出孔と連通される流入口が形成できる。
【００１５】
ここで、前記凹溝部の底面には、放熱部材側の循環ラインと連結された流出口が形成して、前記逆流防止手段の取付部材には前記流出口を通って供給された流体が流入する流入孔の形成ができる。前記流入孔は前記流出孔の周辺に複数形成することができる。また、前記凹溝部の底面には、前記流出口を通って供給された流体が循環する溝が形成され、前記流入孔は前記溝と連結することができる。
【００１６】
前記逆流防止手段の取付部材は弾性高分子物質からできる。
【００１７】
前述した流体循環式の暖房装置で、前記ボイラーは前記循環ラインと結合する入口と出口を備えるボイラーのドラムを含んでおり、前記出口は前記ボイラーのドラムの最下段に位置することが望ましい。前記ボイラーのドラムは、前記出口が前記入口に比べて低くなるように傾斜した状態で前記ハウジングに取付できる。
【００１８】
また、前記ボイラーは流体の出入りが可能な一つの管を備えるボイラーのドラムを含み、この管は、前記ボイラーの上流側の循環配管および下流側の循環配管と接続されて、前記逆流防止手段によって上流側の循環配管を通じた流体の放出が制限できる。
【００１９】
また、前述した流体循環式の暖房装置で、前記の貯蔵タンクは、流体が流出される流出孔を備えて、前記逆流防止手段は、前記流出孔の内部に着脱可能に取付できる。
【００２０】
ここで、前記の貯蔵タンクは、流体が収容される内部空間を形成する外壁と、外壁に形成された開口および前記開口に着脱可能なように結合された蓋と、前記蓋で延長され、その後端に前記逆流防止手段を収容できる逆流防止手段の取付部が形成されており、一端は、前記逆流防止手段の取付部と連通されて他端は前記内部空間と連通して、前記内部空間の流体を前記逆流防止手段の取付部に伝達する流路が形成されたロードをさらに含める。
【００２１】
また、前述した流体循環式の暖房装置は、多孔性材料で構成され、前記ボイラーと前記貯蔵タンクとの間の前記循環ラインの内部に取付されて、前記の貯蔵タンクから前記ボイラーに供給される流体の流速を制限する流速調節手段をさらに含むことが好ましい。
【発明の効果】
【００２２】
本発明に係る流体循環式の暖房装置は、逆流防止手段の交替が容易であるという長所がある。したがって、通常のユーザーが逆流防止手段を直接に交替できる。これにより、突然の故障に簡単に対応することができる。液体循環式の暖房装置の寿命も延ばすことができる。
【図面の簡単な説明】
【００２３】
【図１】図１は、本発明に係る流体循環式の暖房装置の一実施例の概念図である。
【００２４】
【図２】図２は、図１に図示された流体循環式の暖房装置の一部を示す断面図である。
【００２５】
【図３】図３は、図１に図示された液体循環式の暖房装置の貯蔵タンク取付部を示した平面図である。
【００２６】
【図４】図４は、図１に図示されたボイラーの側面図である。
【００２７】
【図５】図５は、本発明に係る流体循環式の暖房装置の他の実施例の一部を示した断面図である。
【００２８】
【図６】図６は、本発明に係る流体循環式の暖房装置の他の実施例の一部を示した断面図である。
【００２９】
【図７】図７は、ボイラーの他の実施例の側面図である。
【００３０】
【図８】図８は、本発明に係る流体循環式の暖房装置の他の実施例の貯蔵タンクを示す断面図である。
【符号の説明】
【００３１】
１０：循環ライン
１５：放熱部材
２０、９０：ボイラー
２１、９１：ボイラーのドラム
２２：板状ヒーター
２３：ヒーター取付部
２７：クランプ（ｃｌａｍｐ）
２９：コントローラ
３０：ハウジング
３１： 貯蔵タンク取付部
３２：凹溝部
３３：突起部
３５：流出口
３６：流入口
３８、７２、１１５：逆流防止手段の取付部
４０、６０、１１０：貯蔵タンク
４１、６１、１１１：内部空間
４２、６２、１１２：外壁
４３：開口
４４：突起部
４６：逆流防止手段の取付部材
４７、９７：流出孔
４９、９９：流入孔
５０：逆流防止手段
６３：結合部
６７：流出入孔
６９：陥没部
７０：キャップ
７１：固定部
８０：キャップ取付部
１１４：蓋
１１６：ロード
【発明を実施するための形態】
【００３２】
以下、添付された図面を参考にして、本発明の一実施例を詳細に説明する。しかし、本発明の実施例は、いくつかの他の形態に変形することができる。本発明の範囲が下で詳述する実施例に限定されるものと解釈されてはならない。本発明の実施例は、当業界で平均的な知識を有する者に本発明をより完全に説明するために提供されているものである。したがって、図面での要素の形状などは、より明確な説明を強調するために誇張されたものであり、図面上で同一な符号で表示された要素は、同一な要素を意味する。
【００３３】
図１は、本発明に係る流体循環式の暖房装置の一実施例の概念図である。図１を参考にすれば、本発明に係る流体循環式の暖房装置の一実施例は、流体が循環する循環ライン１０、循環ライン１０に取付されている放熱部材１５、流体を加熱するボイラー２０、ボイラー２０を制御するコントローラ２９、ボイラー２０とコントローラ２９が取付されているハウジング３０と流体を収容する貯蔵タンク４０を含んでいる。
【００３４】
循環ライン１０は、流体が循環する細長い管として、ボイラー２０から排出され加熱された流体が放熱部材１５を経て冷却した後、貯蔵タンク４０に供給する経路をなす第１の循環ライン１１と貯蔵タンク４０から排出された流体をボイラー２０に供給する経路で、第２の循環ライン１２を含む。
【００３５】
第２循環ライン１２の内部には、流速調節手段（非図示）が取付できる。流速調節手段は、多孔性材料からできる。例えば、不織布などでできる。流速調節手段は、第２循環ライン１２を介して貯蔵タンク４０からボイラー２０に供給される流体の流速を制限して、流体の急速な流れによる騒音の発生を最小限にする役割をする。
【００３６】
一部は、曲がりくねった形で放熱部材１５の内部に配置され、残りは放熱部材１５の外側に配置される。放熱部材１５の外側に配置された循環ライン１０には、ボイラー２０、貯蔵タンク４０などが取付される。
【００３７】
ハウジング３０は、大体ボックス形態として、その内部にはボイラー２０と循環ライン１０の一部およびコントローラ２９が取付される。ハウジング３０の上部には、貯蔵タンク４０を取付するための貯蔵タンク取付部３１が形成される。
【００３８】
図２は、図1に図示された流体循環式の暖房装置の一部を示す断面図で、図３は図１に図示された流体循環式の暖房装置の貯蔵タンク取付部を示した平面図である。図２と３を参考にすると、貯蔵タンク取付部３１は、円形断面の凹溝部３２と凹溝部３２の中心部に形成された円柱形態の突起部３３を含む。突起部３３の高さは凹溝部３２の深さに比べて低い。凹溝部３２の底面３４には、放熱部材１５の第１循環ライン１１と連結された流出口３５が形成される。この流出口３５は、床面３４に形成された同心円状の溝３９と連通している。そして、突起部３３には、ボイラー２０の第２循環ライン１２と接続された流入口３６が形成される。
【００３９】
ハウジング３０と放熱部材１５の間に配置される第1循環ライン１１は、ユーザーのやけどおよび第1循環ライン１１の損傷を防止するための保護部材（非図示）に包まれている。
【００４０】
流体は、水や油のような液体の使用ができる。特別に制限してはないけど超純水（ｄｅｉｏｎｉｚｅｄ  ｗａｔｅｒ）を使用することが望ましい。異物によって逆流防止手段５０が故障したり、循環ライン１０が詰まるのを最小限にできるからである。
【００４１】
放熱部材１５は、電気敷布団や電気カーペットなどの第１循環ライン１１を包む手段として、第１循環ライン１１を流れる流体の熱を間接的にユーザに伝達する役割をする。放熱部材１５は、裏地と表地を含み、裏地には、第１循環ライン１１がジグザグの形で埋設している。第１循環ライン１１を裏地に埋設する方法としては、先に裏地に、ジグザグ形で一定の間隔で穴をあけ、第１循環ライン１１は、穴に沿って縫製するようにはめ込む方法などがある。
【００４２】
図４は、図１に図示されたボイラーの側面図である。ボイラー２０は、循環ライン１０に取付されて循環ライン１０に流れる流体を加熱するための手段である。
【００４３】
図４を参考にすれば、ボイラー２０は、ボイラーのドラム２１と板状ヒータ（ｐｌａｔｅ  ｈｅａｔｅｒ、２２）を含む。ボイラーのドラム２１は、大体シリンダ形状で、板状ヒーター２２の取付およびボイラーのドラム２１への熱伝達を容易にするためボイラーのドラム２１の表面を平らに変形させて形成した平面２４を備えたヒータ取付部２３を備える。ボイラーのドラム２１は、第２循環ライン１２および第１循環ライン１１と、それぞれ結合する入口２５と出口２６を備える。ボイラーのドラム２１は、流体が流入する入口２５が出口２６に比べて高くなるように傾斜した状態でハウジング３０に取付される。また、出口２６は、ボイラーのドラム２１の下側に取付されることが望ましい。図４に図示されたように、ボイラー内部の流体が加熱されて気化すると、気体の圧力によって加熱された流体が出口２６側のほうに押し出されるのが容易だ。
【００４４】
ボイラーのドラム２１は、熱伝導率が高い材質で作られるのが望ましい。例えば、アルミニウムや銅で作れる。
【００４５】
ボイラー２０を加熱する手段としては、様々な方法が適用できる。例えば、ボイラーのドラム２１の外壁にニクロム熱線を巻いたり、板状または棒状のヒータをボイラーのドラム２１に取付できる。本実施例では、板状ヒーター２２を加熱手段として使用したと説明するが、加熱手段が板状ヒータ２２に制限されるのではない。
【００４６】
板状ヒーター２２は、セラミックプレートの一面または両面に抵抗の役割をするパターンを形成した後、この抵抗パターンを保護する保護層をセラミックプレートの上面と下面に形成して作製できる。板状ヒーター２２の抵抗パターンに電流を流すと、板状ヒーター２２で熱が発生する。
【００４７】
また、ボイラ２０は、板状ヒータ２２をボイラードラム２１に結合するためのクランプ２７をさらに含む。クランプ２７を除去すると、板状ヒーター２２をボイラードラム２１から簡単に分解できて、板状ヒーター２２の故障等に容易に対応することができる。
【００４８】
ボイラーのドラム２１に伝達された熱は、ボイラーのドラム２１の内部に流入された流体を加熱して、一部の流体を膨張、気化させる。流体が膨張または気化されると、ボイラードラム２１の内部の圧力が高くなって、流体がボイラーのドラム２１の出口２６に流れる。ボイラーのドラム２１の入口２５側は逆流防止手段５０によって流れが遮断される。
【００４９】
板状ヒーター２２に流れる電流が遮断されると、ボイラードラム２１にそれ以上の熱は伝達されない。ボイラーのドラム２１は、板状ヒーター２２と結合された表面の一部を除いては、すべて外部に露出されており、熱伝導率の高い素材で作られて迅速に冷却される。ボイラーのドラム２１の冷却にボイラードラム２１の内部に残留する気化された流体は、再び収縮して、これによる大きな割合の体積の減少およびそれに伴う真空形成に圧力が減少して、流体がボイラーのドラム２１の入口２５を介してボイラーのドラム２１の内部に流入される。
【００５０】
コントローラ２９は、決められたプログラムに沿って板状ヒータ２２と連結された電源にＯＮ、ＯＦＦ信号を印加する役割をする。ＯＮ信号の維持とＯＦＦ信号の維持時間を調節することにより、流体を加熱し、冷却する時間を調節する。流体を加熱すると、流体の温度と圧力が増加する。流体の圧力の増加は、流体が放熱部材１５に向かって流れるようにする。ボイラーのドラム２１の内部の流体が気化圧力により出口２６に抜けると、流体が気化されたときに発生したボイラーのドラム２１の内部の圧力が維持されなくて貯蔵タンク４０または押し出された流体が再びボイラードラム２１内に流入される。この時、ボイラードラム２１の内部に突然の圧力低下が発生して、ボイラーのドラム２１の内部に流体が供給される。したがってＯＮ信号の維持時間とＯＦＦ信号の維持時間を調節すれば、ポンピング速度と流体の温度を制御することができる。
【００５１】
再び、図２を参考にすると、貯蔵タンク４０は、流体が収容される内部空間４１を形成する外壁４２と、下側外壁４２に形成された円形の開口４３および開口４３の外周面に沿って下方に突出した突起部４４を含む。また、突起部４４によって囲まれた取付スペース４５に取付される逆流防止手段の取付部材４６を含む。
【００５２】
逆流防止手段の取付部材４６は、大体円柱形状として、中心部には、貯蔵タンク取付部３１に配置された流入口３６と連通してボイラー２０に流体を供給する流出孔４７が形成される。この流出孔４７の内部には、逆流防止手段５０が取付される。逆流防止手段５０は、流体が循環ライン１０から一方向のみ流れるように制限するための手段である。つまり、流出孔４７を通じては、貯蔵タンク４０の内部に流体が流入されることを防止するための手段である。逆流防止手段５０は、ボール逆止弁をはじめとする様々な種類の逆止弁、すなわち、リフト逆止弁、スイング逆止弁、メンブレン（ｍｅｍｂｒａｎｅ）逆止弁などを使用できる。また、流出孔４７には、逆流防止手段５０が圧力によって押される現象を防止する係止顎４８を形成することもできる。
【００５３】
逆流防止手段の取付部材４６の材質でシリコーンゴムなどのような弾性のある高分子物質を使用した場合には、逆流防止手段５０を流出孔４７にはめ込む方法を使い、逆流防止手段５０が固定されると同時に、逆流防止手段５０と流出孔４７との間の空間が密封される利点がある。
【００５４】
逆流防止手段の取付部材４６の流出孔４７の周りの領域には、貯蔵タンク取付部３１の流出口３５と連通して放熱部材１５に熱を伝達した低温状態の流体が流入される流入孔４９が形成される。流入孔４９の数は、必要に応じて変更できる。流出口３５を通じて凹溝部３２に流入した流体は、凹溝部３２の底面３４の溝３９と流入孔４９を通過した後、貯蔵タンク４０の内部空間４１に流入される。これらの溝３９は、貯蔵タンク４０が 貯蔵タンク取付部３１に回転結合されるとき円滑な流路を確保するために必要である。
【００５５】
貯蔵タンク４０は、 貯蔵タンク取付部３１にネジ結合される。この時、凹溝部３２の壁面と突起部４４との間の空間が密閉される。必要な場合には、突起部４４と凹溝部３２との間にOリングのような別の密封手段を取付できる。
【００５６】
貯蔵タンク４０が貯蔵タンク取付部３１にネジ結合されるとき、貯蔵タンク取付部３１の突起部３３は、逆流防止手段の取付部材４６の流出孔４７にはめ込められる。逆流防止手段の取付部材４６は、弾性力があるので、突起部３３と流出孔４７との間の空間が密封される。
【００５７】
また、図示していないが、貯蔵タンク４０には、貯蔵タンク４０の内部に蓄えられた流体の水位を測定できる水位センサーの取付ができる。水位センサーは、流体の補充が必要かどうかを知らせる役割をする。
【００５８】
以下、前述した流体循環式の暖房装置の一実施例の作用について説明する。
【００５９】
まず、超純水が入った貯蔵タンク４０をハウジング３０の貯蔵タンク取付部３１に装着する。この時、貯蔵タンク４０の流出孔４７に取付された逆流防止手段５０が貯蔵タンク取付部３１の流入口３６に密着される。
【００６０】
流体循環式の暖房装置を作動させると、ボイラー２０の板状ヒータ２２が作動してボイラーのドラム２１の内部に蓄えられた流体が加熱される。加熱された流体は、膨張し、一部は気化する。流体の膨張および気化は、ボイラーのドラム２１の内部の圧力を高め、ボイラードラム２１の内部の流体を押すようになる。貯蔵タンク４０の流出孔４７には、逆流防止手段５０が取付されておりますので、ボイラードラム２１の内部の流体は、ボイラーのドラム２１の入口２５側（貯蔵タンクの流出孔側）に流れることはできず、出口２６側に流出される。
【００６１】
出口２６側に流出した流体は、放熱部材１５の内部に配置された第１循環ライン１１に沿って流れ、放熱部材１５に熱を伝達して冷却される。冷却された流体は、貯蔵タンク４０に戻る。貯蔵タンク４０内の流体は、ボイラー２０が加熱状態である場合には、ボイラー２０の方向に流れることができない。ボイラー２０側の圧力がより高いためである。
【００６２】
ボイラー２０の板状ヒータ２２に連結された電源を遮断したり、板状ヒーター２２の発熱量を減らすと、ボイラーのドラム２１の内部は、外部の空気によって冷却される。十分に冷却されて、ボイラーのドラム２１の内部の圧力が貯蔵タンク４０の内部の圧力に比べて低くなると、貯蔵タンク４０に蓄えられている流体がボイラーのドラム２１の内部に供給される。内部に流入された流体は、ボイラーのドラム２１の内部の温度をさらに急激に下げて、流体の吸入を加速させる。このとき、第２の循環ライン１２の内部に取付された流速調節手段は、流体が吸入される速度を緩く調節して、流体が吸入される過程で発生する騒音を最小限にする。
【００６３】
再びボイラーのドラム２１の板状ヒータ２２が作動すると、前述した過程を通じて流体が循環する。
【００６４】
本実施例において、逆流防止手段５０が破損すると、ハウジング３０にネジ結合された貯蔵タンク４０を新しい貯蔵タンク４０に交替する方法で逆流防止手段５０を簡単に交替できる。超純水は、一般のユーザーが購入しにくいので、ユーザーが超純水が蓄えられた貯蔵タンク４０自体を購入して定期的に交替する方法で、流体循環式の暖房装置が管理されると、逆流防止手段５０も定期的に交替され、故障の防止ができる。
【００６５】
図５は、本発明に係る流体循環式の暖房装置の他の実施例の一部を示した断面図である。本実施例において、逆流防止手段５０は、貯蔵タンク取付部３１の逆流防止手段取付部３８に着脱可能に取付される。
【００６６】
本実施例において、貯蔵タンク６０は、流体が収容される内部空間６１を形成する外壁６２と、下側の外壁から下方に突出した結合部６３を含む。結合部６３の外周面には、ハウジング３０にネジ結合するためのネジ山６４が形成されている。また、結合部６３には、貯蔵タンク６０の内部空間６１と連通される流出入孔６７が形成されている。そして、結合部６３の後端には、円形断面の陥没部６９が形成されている。流動ボール６７は、陥没部６９と連通している。
【００６７】
貯蔵タンク取付部３１には、結合部６３に対応する凹溝部３２が形成されており、 凹溝部３２の内壁には、結合部６３のネジ山６４に対応するネジ山３７が形成されている。凹溝部３２の底面３４には、結合部の陥没部６９と連結される流出口３５と逆流防止手段の取付部３８が形成されている。
【００６８】
逆流防止手段の取付部３８は、陥没部６９と連通された入口３８１と流入口３６と連結される出口３８２を備え、入口３８１と出口３８２との間に逆流防止手段５０を収容する収容空間３８３が形成されている。
【００６９】
本実施例において、逆流防止手段５０は、貯蔵タンク４０をハウジング３０から分離させた後、逆流防止手段の取付部３８の入口３８１を介して逆流防止手段の取付部３８に装着したり取り外したりできる。本実施例は、貯蔵タンク６０全体ではなく、逆流防止手段５０だけを交替できるという長所がある。
【００７０】
本実施例において、流出口３５を介して陥没部６９に流入した流体は、逆流防止手段５０によって流入口３６側に流れず、流出入孔６７を介して貯蔵タンク６０の内部空間６１に 蓄えられた。ボイラーのドラム２１の内部の圧力が低下する場合には、貯蔵タンク６０の内部空間６１に保存された流体が流出入孔６７、陥没部６９、逆流防止手段５０および流入口３６の順に通過した後、第2循環配管１２を介してボイラ２０に流入される。
【００７１】
図６は、本発明に係る流体循環式の暖房装置の他の実施例の一部を示した断面図である。
【００７２】
本実施例では、逆流防止手段５０が取付されたキャップ７０をハウジング３０に装着する方法で逆流防止手段５０を取付する。この場合、キャップ７０は、ボイラー２０と貯蔵タンク６０との間に位置する。図６に図示したように、ハウジング３０には、キャップ７０をネジ結合できるキャップ取付部８０が形成されており、キャップ取付部８０の壁面８１には、貯蔵タンク４０側の第２の循環ライン１２と連結される入口８２とボイラー２０側の第2の循環ライン１２と連結される流出口８３が形成されている。
【００７３】
キャップ７０は、キャップ取付部８０にネジ結合される固定部７１と、固定部７１から延長された逆流防止手段の取付部７２を備える。逆流防止手段の取付部７２は、流入口８２と連結される入口７３と流出口８３と連結される出口７４を備える。また、入口７３と出口７４との間に逆流防止手段５０を収容する収容空間７５が形成される。
【００７４】
本実施例では、キャップ７０を交替する方法で逆流防止手段５０を交替できる。また、キャップ７０をハウジング３０から分離した後、キャップ７０の逆流防止手段の取付部３８から逆流防止手段５０を除去した後、他の逆流防止手段５０を取付する方法で逆流防止手段５０を交替することも可能だ。
【００７５】
図７は、ボイラーの他の実施例の側面図である。図７に図示されたボイラーは、図４に図示されたボイラーとは異なり、ボイラードラム９１に一側面で延長された一つの管９８を介して流体が流入し、排出される。この管９８には、第１循環ライン１１および貯蔵タンク４０と連結された第２の循環ライン１２が結合される。つまり、入口と出口が一つになる。
【００７６】
板状ヒーター２２によってボイラーのドラム９１の内部の流体が加熱され、一部が気化されると、気体の圧力によって加熱された流体がボイラーのドラム９１の側面の管９８を介して排出される。貯蔵タンク４０と連結された第２の循環ライン１２側に逆流防止手段５０が取付されているだめ、貯蔵タンク４０と連結された第２の循環ライン１２には、流体が流れず、第１循環ライン１１側に流体が流れる。
【００７７】
ボイラーのドラム９１の内部の流体が冷却されると、ボイラードラム９１の内部に音圧がかかり、貯蔵タンク４０と接続された第２の循環ライン１２とボイラーのドラム９１の側面の管９８を通じてボイラードラム２１の内部に流体が流入される。この時、第１循環ライン１１上の流体よりは大気圧に露出されている貯蔵タンク４０内の流体が第２循環ライン１２を介して、より多くボイラーのドラム９１内に流入することになる。
【００７８】
図８は、本発明に係る流体循環式の暖房装置の他実施例の貯蔵タンクを示す断面図である。
【００７９】
本実施例に係る貯蔵タンク１１０は、流体が収容される内部空間１１１を形成する外壁１１２と、下側外壁１１２に形成された流出孔１１７と流入孔１１９を含む。流出孔１１７の内部空間１１１側の後端１２０は、逆流防止手段５０が取付されるように流出孔１１７の他の部分に比べて断面積が大きい。
【００８０】
また、貯蔵タンク１１０の上側の外壁１１２には、開口１１３が形成される。開口１１３には、蓋１１４がネジ結合される。蓋１１４には、ロード１１６が結合される。ロード１１６の後端には、逆流防止手段５０が取付される。逆流防止手段５０は、ロード１１６の後端に形成された逆流防止手段の取付部１１５に取付される。逆流防止手段の取付部１１５は、ロード１１６の後端に逆流防止手段５０が取付されるように形成された中空である。ロード１１６には、逆流防止手段５０に流体を伝達するための流路１１８が形成される。ユーロ１１８の一端は、逆流防止手段５０が取付されて中空と連通し、他端は内部空間１１１に向かう。
【００８１】
本実施例では、蓋１１４を交替する方法で逆流防止手段５０を容易に交替できる。
【００８２】
以上で説明された実施例は、本発明の好ましい実施例を説明したものに過ぎず、本発明の権利範囲は、説明された実施例に限定されるものではなく、本発明の技術的思想と特許請求の範囲内で、この分野の当業者によって様々な変更、変形または置換が可能であり、そのような実施例は、本発明の範囲に属するものと理解されるべきである。
【００８３】
図２に図示された実施例では、別の逆流防止手段の取付部材４６を備えたもので説明したが、逆流防止手段の取付部材は、貯蔵タンクと一体に結合することもできる。また、逆流防止手段の取付部材に弾性高分子物質を使用することで説明したが、堅い材質の逆流防止手段の取付部材を使用して、はめ込んで密封したり、Oリングなどの別の密封手段を使用することもできる。
【００８４】
また、図６に図示された実施例で、逆流防止手段の取付部の入口と出口が互いに平行なものと説明したが、逆流防止手段の種類に応じて、入口と出口が互いに直交できるのは自明である。
【００８５】
また、図８に図示された実施例において、直接流出孔に逆流防止手段を取付することもできる。
【図１】
0006414595.tif 000002
【図２】
0006414595.tif 000003
【図３】
0006414595.tif 000004
【図４】
0006414595.tif 000005
【図５】
0006414595.tif 000006
【図６】
0006414595.tif 000007
【図７】
0006414595.tif 000008
【図８】
0006414595.tif 000009